(57)【要約】【課題】ボールを打球した際の衝撃による振動を抑え、安定した打球が行えるマレットゴルフスティックを提供する。【解決手段】本発明のマレットゴルフスティックは、シャフト５と、このシャフト５の先端に取り付けられ、少なくとも一方の端部に打撃面１２Ａを備えたヘッド１０とを有している。ヘッド１０は、ヘッド本体１１と、このヘッド本体１１に装着され、打撃面１２Ａを備えた打撃部材１２とを有し、ヘッド本体１１と打撃部材１２との間に、低弾性部材２１を介して両者を連接する低弾性連接部２０を設けたことを特徴とする。【選択図】図２
2007181548.tif 000002
【特許請求の範囲】
【請求項１】
シャフトと、このシャフトの先端に取り付けられ、少なくとも一方の端部に打撃面を備えたヘッドとを有するマレットゴルフスティックであって、
前記ヘッドは、ヘッド本体と、このヘッド本体に装着され、前記打撃面を備えた打撃部材とを有し、
前記ヘッド本体と打撃部材との間に、低弾性部材を介して両者を連接する低弾性連接部を設けたことを特徴とするマレットゴルフスティック。
【請求項２】
前記低弾性連接部は、前記ヘッド本体と打撃部材の長手方向対向面の間に、前記低弾性部材を介在することで構成されていることを特徴とする請求項１に記載のマレットゴルフスティック。
【請求項３】
前記低弾性連接部は、前記ヘッドの外周側に形成されていることを特徴とする請求項１又は２に記載のマレットゴルフスティック。
【請求項４】
前記低弾性連接部は、前記ヘッドの全周に亘って形成されていることを特徴とする請求項１乃至３のいずれか１項に記載のマレットゴルフスティック。
【請求項５】
前記ヘッド本体と打撃部材の長手方向対向面の間に隙間を有することを特徴とする請求項１乃至４のいずれか１項に記載のマレットゴルフスティック。
【請求項６】
シャフトと、このシャフトの先端に取り付けられ、少なくとも一方の端部に打撃面を備えたヘッドとを有するマレットゴルフスティックであって、
前記ヘッドは、ヘッド本体と、このヘッド本体に螺合結合され、前記打撃面を備えた打撃部材とを有し、
前記ヘッド本体と打撃部材の螺合結合部の径方向外側及び径方向内側に、前記ヘッド本体と打撃部材との間で隙間を形成し、少なくとも螺合結合部の径方向外側の隙間に低弾性部材を介在したことを特徴とするマレットゴルフスティック。
【発明の詳細な説明】
【技術分野】
【０００１】
本発明は、マレットゴルフスティックに関する。
【背景技術】
【０００２】
従来、マレットゴルフと称されるスポーツがあり、特に、自然環境の豊かな地域では盛んに行なわれている。マレットゴルフは、いわゆるゲートボールにゴルフの要素を加味したスポーツであり、それに使用される用具（マレットゴルフスティック）は、一般的に、グリップを有するシャフトと、そのシャフトの先端に装着される円筒形のヘッドとを備えた構成になっている。
【０００３】
上記したマレットゴルフスティックでは、ボールを１００ｍ以上飛ばすこともあり、打撃した際の衝撃が大きくなってしまう。そこで、例えば、特許文献１には、ヘッドの打撃面のスィートスポット位置を切り抜き、そこに表面を硬質に形成した弾力素材を嵌め込んだマレットゴルフスティックが開示されている。このようなマレットゴルフスティックによれば、打撃した際の衝撃が弾力素材内で吸収されるため、衝撃を身体に伝えないようにすることが可能となる。
【０００４】
また、例えば、特許文献２には、両端に雌ネジ部が形成された円筒状のヘッド本体に、打撃が成されるキャップ状（円柱状）の打球部材を螺着したマレットゴルフスティックが開示されている。前記ヘッド本体の表面には、打球部材の合わせ部分との間に緩衝溝が形成されており、これにより、打撃時における衝撃が加わった際、衝撃溝部分で変形することが可能となって、衝撃を緩和することが可能となる。
【特許文献１】特開平１１−２２６１６０号
【特許文献２】特開平１１−２２６１６１号
【発明の開示】
【発明が解決しようとする課題】
【０００５】
上記した特許文献１に開示されたマレットゴルフスティックは、スィートスポット位置に弾力素材が設けられていることから、スィートスポット以外で打球した際、その衝撃を吸収することができないという問題がある。また、スィートスポット以外で打球（打点ズレ）した場合、衝撃が身体に伝わってしまい、これに伴って飛距離や方向がバラツキ、安定した打球が行えないという問題もある。
【０００６】
また、前記特許文献２に開示されたマレットゴルフスティックは、ヘッド本体の表面に緩衝溝を形成したことで、ある程度衝撃を緩和することはできるものの、ヘッド本体と打球部材は、その緩衝溝が形成されている径方向内側で面接触状態になっているため、衝撃によって伝わる振動を充分に緩和することができないという問題がある。
【０００７】
本発明は、上記した問題に着目してなされたものであり、ボールを打球した際の衝撃による振動を抑え、安定した打球が行えるマレットゴルフスティックを提供することを目的とする。
【課題を解決するための手段】
【０００８】
上記した目的を達成するために、本発明に係るマレットゴルフスティックは、シャフトと、このシャフトの先端に取り付けられ、少なくとも一方の端部に打撃面を備えた円筒形のヘッドとを有しており、前記ヘッドは、ヘッド本体と、このヘッド本体に装着され、前記打撃面を備えた打撃部材とを有し、前記ヘッド本体と打撃部材との間に、低弾性部材を介して両者を連接する低弾性連接部を設けたことを特徴とする。
【０００９】
このような構成によれば、打撃面でボールを打球した際の衝撃は、ヘッド本体と打撃部材との間に設けられている低弾性連接部の低弾性部材で吸収されることから、ヘッド本体及びシャフトに伝わる振動は減衰される。また、打撃部材とヘッド本体との間に低弾性連接部を設けているため、打撃部材のスイートスポットを外して打球しても、その衝撃が吸収できることから、安定して打球することが可能となる。
【００１０】
また、上記した目的を達成するために、本発明に係るマレットゴルフスティックは、シャフトと、このシャフトの先端に取り付けられ、少なくとも一方の端部に打撃面を備えたヘッドとを有しており、前記ヘッドは、ヘッド本体と、このヘッド本体に螺合結合され、前記打撃面を備えた打撃部材とを有し、前記ヘッド本体と打撃部材の螺合結合部の径方向外側及び径方向内側に、前記ヘッド本体と打撃部材との間で隙間を形成し、少なくとも螺合結合部の径方向外側の隙間に低弾性部材を介在したことを特徴とする。
【００１１】
このような構成によれば、打撃面でボールを打球した際の衝撃は、ヘッド本体と打撃部材との間に設けられている隙間によって遮断されることから、ヘッド本体及びシャフトに伝わる振動は減衰される。特に、打球時における衝撃は、表面積が大きい外周側で伝わり易いが、螺合結合部の径方向外側の隙間に低弾性部材を介在したことで、効率良く振動を抑えることが可能となる。また、打撃部材とヘッド本体との間に隙間を形成すると共に、径方向外側の隙間に低弾性部材を介在させているため、打撃部材のスイートスポットを外して打球しても、その衝撃を吸収でき、安定して打球することが可能となる。
【発明の効果】
【００１２】
本発明によれば、ボールを打球した際の衝撃による振動を抑え、安定した打球が行えるマレットゴルフスティックが得られる。
【発明を実施するための最良の形態】
【００１３】
以下、本発明に係るマレットゴルフスティックの実施形態について、添付図面を参照して具体的に説明する。
【００１４】
図１から図３は、マレットゴルフスティックの一実施形態を示す図であり、図１は、全体構成を示す側面図、図２は、ヘッド部分の長手方向断面図、そして、図３は、図２のＡ−Ａ線に沿った断面図である。
【００１５】
マレットゴルフスティック１は、シャフト５と、シャフト５の先端に取り付けられるヘッド１０とを備えて構成されている。
【００１６】
前記シャフト５は、金属、又は繊維強化樹脂等によって形成され、その基端側には、所定の長さで、ゴム等の柔軟部材で形成されたグリップ７が取着されている。
【００１７】
前記ヘッド１０は、全体として円筒形状に形成されており、内部に空洞部１０ａを備えた略円筒形状のヘッド本体１１と、このヘッド本体１１の両端側に装着され、実際に打球が成される打撃面１２Ａを備えた打撃部材１２とを有している。ヘッド本体１１と打撃部材１２は、例えば、螺合及び／又は接着によって固定することが可能であり、本実施形態では、ヘッド本体１１の両端側を小径化して、その部分に雄ネジ部１１ａを形成すると共に、打撃部材１２をキャップ状にして内部に雌ネジ部１２ａを形成し、両者を螺合した状態で接着剤により固定している。
【００１８】
前記ヘッド本体１１は、例えば、アルミ等の金属部材によって形成されており、前記打撃部材１２は、例えば、チタン、チタン合金、ジュラルミン、アルミ合金等によって形成されている。そして、打撃部材１２をヘッド本体１１の端部に固着した状態で、打撃部材１２とヘッド本体１１は、表面が面一状になるように形成されている。
【００１９】
また、前記ヘッド本体１１には、前記シャフト５を取り付けるためのシャフト取付部材１５が設けられている。このシャフト取付部材１５には、軸方向に延在するシャフト固定孔１５ａが形成されていると共に、外部に径方向に突出する位置決め段部１５ｂが形成されている。そして、シャフト取付部材１５は、ヘッド本体１１の上面側に形成される貫通孔１１ｂに挿入されて、前記位置決め段部１５ｂが、貫通孔１１ｂ内に形成される段部１１ｃに当て付けられると共に、先端部分がヘッド本体１１の内部に形成される保持穴１１ｄに保持された状態でヘッド本体１１に接着固定されている。この状態でシャフト５は、前記シャフト固定孔１５ａに挿入されて接着固定されている。
【００２０】
前記ヘッド本体１１と打撃部材１２は、両者が螺合固定された際、両者の間に低弾性連接部２０が設けられるように構成されている。この場合、低弾性連接部２０とは、打撃部材１２でボールを打球した際に、その振動を抑えるような弾性率を有する低弾性部材（例えば、ゴム、合成樹脂等）２１を、ヘッド本体１１と打撃部材１２との間に介在させた部分によって定義される。
【００２１】
このように、打撃部材１２とヘッド本体１０との間に、低弾性部材２１を介在させた低弾性連接部２０を設けることによって、ボール打球時における打撃部材１２での衝撃による振動を減衰させ、ヘッド本体１０に伝わる振動を抑えることが可能となる。
【００２２】
上記した低弾性連接部２０は、図２に示すように、振動が伝わる長手方向に対して直交する方向で所定間隔をおいて互いに向き合うヘッド本体１１と打撃部材１２の対向面に設けておくことが好ましい。具体的には、低弾性連接部２０は、雄ネジ部１１ａと雌ネジ部１２ａによる螺合部Ｓの径方向外側（ヘッドの外周側）となる両者の対向面１１ｆ，１２ｆに、輪帯形状の低弾性部材２１を介在することで構成されている。
【００２３】
このように、ヘッド本体１１と打撃部材１２の長手方向の対向面１１ｆ，１２ｆに低弾性連接部２０を設けることで、振動の伝達を遮断し易くすることができ、効率良く振動を抑えることができる。また、螺合部Ｓの径方向外側に低弾性連接部２０を設けたことで、ヘッドの外周面に伝わる振動を減衰させ易いと共に、低弾性部材２１の表面積を大きくすることができ、効率良く振動を抑えることができる。
【００２４】
なお、前記低弾性連接部２０は、図３に示すように、全周に亘って形成することが好ましい。このように構成することで低弾性部材２１の表面積が大きくなって、より効果的に振動を抑えることができる。また、前記前記低弾性部材２１は、圧縮変形させた状態で対向面１１ｆ，１２ｆ間に固定することが好ましい。このように構成することで、より振動を減衰させ易くすることができる。
【００２５】
また、ヘッド本体１１と打撃部材１２との間には、上記した低弾性連接部２０が設けられない領域に隙間を形成しておいても良い。具体的には、前記螺合部Ｓの径方向内側のヘッド本体１１と打撃部材１２に、隙間Ｇが生じるように、長手方向対向面１１ｆ´，１２ｆ´が形成されている。
【００２６】
このように、隙間Ｇを形成しておくことで、打撃部材１２からヘッド本体１０への振動の伝達を遮断することができると共に、打球感を向上することが可能となる。もちろん、このような隙間Ｇの全体、もしくは一部に、上記した低弾性部材２１を介在させた低弾性連接部２０を設けておいても良い。
【００２７】
また、上記した螺合結合構造を有するヘッドでは、螺合部Ｓの径方向内側におけるヘッド本体１０の肉厚Ｔ１よりも、螺合部Ｓの径方向外側における打撃部材１２の肉厚Ｔ２を肉厚にしておくことが好ましい（Ｔ１＜Ｔ２）。このように構成することで、ヘッド本体１０への振動の伝達をより抑制することが可能となる。
【００２８】
図４及び図５は、上記した実施形態の変形例を示す図であり、図４は、ヘッド部分の長手方向断面図、図５は、図４のＢ−Ｂ線に沿った断面図である。
【００２９】
この変形例では、上記した実施形態とは逆に、ヘッド本体１１側に雌ネジ部１１ａ´を形成し、打撃部材１２側に雄ネジ部１２ａ´を形成することで、両者の螺合部Ｓ´を構成しており、その螺合部Ｓ´の径方向外側に低弾性連接部２０を設けている。このようなヘッド構成においても、上記した実施形態と同様な作用効果が得られる。
【００３０】
また、この変形例では、シャフト取付部材１５とシャフト５との間に、ゴム、樹脂等の低弾性部材２５を介在させている。このような位置に低弾性部材２５を介在させることにより、打球時の振動を、より身体に伝え難くすることが可能となる。
【００３１】
以上、本発明の実施形態について説明したが、本発明は、上述した実施形態以外にも種々変形することが可能である。本発明は、ヘッド本体１１と、これに装着固定される打撃部材１２との間に、低弾性部材２１を介在させた低弾性連接部２０が設けられていれば良く、ヘッドの形状や打撃部材の形状、及び装着方法については適宜変形することが可能である。また、打撃部材１２は、ヘッド本体１１のいずれか一方の端部に設けられる構成であっても良い。
【産業上の利用可能性】
【００３２】
本発明は、マレットゴルフに使用する以外にも、ゲートボールのようなボールをターゲット方向に向けて転がす球技に使用することが可能である。
【図面の簡単な説明】
【００３３】
【図１】本発明に係るマレットゴルフスティックの一実施形態を示す図であり、全体構成を示す側面図。
【図２】ヘッド部分の長手方向断面図。
【図３】図２のＡ−Ａ線に沿った断面図。
【図４】変形例を示す図であり、ヘッド部分の長手方向断面図。
【図５】図４のＢ−Ｂ線に沿った断面図。
【符号の説明】
【００３４】
１  マレットゴルフスティック
５  シャフト
１０  ヘッド
１１  ヘッド本体
１１ｆ，１１ｆ´  対向面
１２  打撃部材
１２Ａ  打撃面
１２ｆ，１２ｆ´  対向面
２０  低弾性連接部
２１  低弾性部材
Ｓ  螺合部
【図１】
2007181548.tif 000003
【図２】
2007181548.tif 000004
【図３】
2007181548.tif 000005
【図４】
2007181548.tif 000006
【図５】
2007181548.tif 000007